(57)【要約】      （修正有）【課題】眼鏡に曇りを発生させないマスク用キットを提供する。【解決手段】弾性を有する略棒状の横方向部材と、第１縦方向部材と、第２縦方向部材を備える。横方向部材はマスクの上部に取り付けられ、横方向部材の左側下方に第１縦方向部材、右側下方に第２縦方向部材が配置される。【選択図】図４
0003169177.tif 000002
【実用新案登録請求の範囲】
【請求項１】
マスクに取り付けて使用するマスク用キットであって、
弾性を有しマスクの上部に取り付けられ、左側の部材と右側の部材とが連結又は非連結である略棒状の横方向部材と、
弾性を有し横方向部材の中央より左側の下方に配置される略棒状の第１縦方向部材と、弾性を有し横方向部材の中央より右側の下方に配置される略棒状の第２縦方向部材とを備えるマスク用キット。
【請求項２】
第１縦方向部材よりも薄く、横方向部材と第１縦方向部材とを接続する第１低丘部と、
第２縦方向部材よりも薄く、横方向部材と第２縦方向部材とを接続する第２低丘部とをさらに備える、請求項１に記載のマスク用キット。
【請求項３】
第１縦方向部材及び第２縦方向部材の上部先端部分は、先端ほど薄くなるように傾斜がついている、請求項１または請求項２に記載のマスク用キット。
【請求項４】
横方向部材は、左側の部材と右側の部材とが連結され、連結部分が凹部となっている、請求項１に記載のマスク用キット。
【請求項５】
第１縦方向部材と第２縦方向部材がハの字型に配置されている、請求項１に記載のマスク用キット。
【請求項６】
横方向部材の上部に取り付けてあってマスクの上辺に引っ掛けることが可能な保持フックを備える、請求項１に記載のマスク用キット。
【請求項７】
請求項１に記載のマスク用キットを備えるマスク。
【考案の詳細な説明】
【技術分野】
【０００１】  本考案はマスク着用時の眼鏡の曇り止めに関するものである。
【背景技術】
【０００２】  衛生マスクは花粉・砂塵・細菌類の吸入を防ぐために広く世界に普及しているが、眼鏡を着用する人にとってはレンズの曇りが発生し不便であって、一部のマスク製品等には対策を図ったものが有るが課題の解決にはなっていなかった。眼鏡の曇り止めへの解決策を願っている生活者の期待は依然として大きいが、未解決であった。
【先行技術文献】
【特許文献】
【０００３】
【特許文献１】  実開平５−８６３６０公報
【考案の概要】
【考案が解決しようとする課題】
【０００４】  上記の衛生マスクや、マスクの上部に取り付けられた呼気遮断用付属部品では、呼気がマスク外へ排出される際に、マスクと顔との狭い空間を通過することによって生じる早い風速に耐えられずマスク上部から容易に抜け出てしまうことが曇り発生の要因であり、依然として不愉快な未解決の課題であった。【０００５】  本考案は、前述の課題を解決し、眼鏡の曇りを発生させないマスク用キット及びマスクを提供することを目的としている。
【課題を解決するための手段】
【０００６】  本考案の請求項１に記載のマスク用キットは、弾性を有しマスクの上部に取り付けられ、左側の部材と右側の部材とが連結又は非連結である略棒状の横方向部材と、
弾性を有し横方向部材の中央より左側の下方に配置される略棒状の第１縦方向部材と、弾性を有し横方向部材の中央より右側の下方に配置される略棒状の第２縦方向部材とを備えることを特徴とするものである。【０００７】  本考案の請求項２に記載のマスク用キットは、第１縦方向部材よりも薄く、横方向部材と第１縦方向部材とを接続する第１低丘部と、第２縦方向部よりも薄く、横方向部材と第２縦方向部材とを接続する第２低丘部とを、さらに備えることを特徴とするものである。【０００８】  本考案の請求項３に記載のマスク用キットは、第１縦方向部材及び第２縦方向部材の上部先端部分は、先端ほど薄くなるように傾斜がついていることを特徴とするものである。【０００９】  本考案の請求項４に記載のマスク用キットは、横方向部材は左側の部材と右側の部材とが連結され、連結部分が凹部となっていることを特徴とするものである。【００１０】  本考案の請求項５に記載のマスク用キットは、第１縦方向部材と第２縦方向部材がハの字型に配置されていることを特徴とするものである。【００１１】  本考案の請求項６に記載のマスク用キットは、横方向部材の上部に取り付けてあってマスクの上辺に引っ掛けることが可能な保持フックを備えることを特徴とするものである。【００１２】  本考案の請求項７に記載するマスクは、上記のマスク用キットを備えることを特徴とするものである。
【考案の効果】
【００１３】  本考案に係る請求項１よって衛生マスクと眼鏡を併用しても眼鏡が曇らなくなる。【００１４】  本考案に係る請求項１によるマスク用キットが着脱式製品にて提供できることで既存の使い捨て型の汎用マスクに対して繰り返し使用可能であり、生活者への経済的効果も高い。【００１５】  本考案に係る全ての部材は一体成型が可能である構造であるため金型製作が経済的であり量産効果が高い。
【図面の簡単な説明】
【００１６】
【図１】  本考案が実施される衛生マスクの１例を示した正面図である。
【図２】  本考案の実施方法を示したマスク内側正面の平面図である。
【図３】  マスク着用前の本考案の部材配置を説明した立体図である。
【図４】  マスク着用時の本考案の部材位置を示した立体図である。
【図５】  縦方向部材の、ハの字型配置を示した立体図である。
【図６】  横方向部材の寸法と縦方向部材の配置関係の位置を示した図である。
【図７】  横方向部材の寸法を示す実施一事例を使った立体図である。
【図８】  横方向部材の凹部の形状を説明した一例図である。
【図９】  横方向部材の凹部の形状を説明した一例図である。
【図１０】  横方向部材と縦方向部材の寸法を示した一例断面図である。
【図１１】  保持フックでの取り付け方法を示した断面図である。
【図１２】  保持フックを示した簡易立体図と断面図である。
【図１３】  保持フックの取り付け位置を示した説明図である。
【図１４】  保持フックの取り付けた使用時のイメージ図である。
【考案を実施するための形態】
【００１７】  以下本考案の実施の一形態を、図面を参照して詳細に説明する。図１は衛生マスクの一例を示したものであり、紙、布、樹脂製等によるマスク本体１と、本体１を耳に保持する保持紐０で構成されている。
【００１８】  図２は本考案の実施方法を示したものであり、マスクを顔に装着する前の時点でのマスク本体１における本キットの配置をマスクの内側正面から表した平面図である。横方向部材２と凹部５の位置、及び第１縦方向部材３と第２縦方向部材４の「ハの字型」の配置、及び第１低丘部６、第２低丘部７の位置を示したものであり課題解決への有効な機能配置を示したものである。
【００１９】  図３は、図２を立体化した図である。課題解決には、マスク本体と顔との狭い間隙を呼気が瞬時に移動する際の速い風速を緩和すること、及び上向き以外の方向から排気することにある。第１縦方向部材３と第２縦方向部材４とを、充分な間隔と高さで形成したことにより呼気吹き出し直後のマスク内空間を広く形成でき呼気の移動風速を緩和できた。尚、配置を「ハの字型」にしたのはマスク装着時における顔の湾曲特性によって生じるマスクの形状変形によって、第１縦方向部材３と第２縦方向部材４の下部が内側に湾曲し、その結果、形成されるべき空間が縮小してしまうことを避ける目的である。更に第１縦方向部材３、第２縦方向部材４には、第１低丘部６、及び第２低丘部７へ呼気を誘導するための機能を持たせた。
【００２０】  図４は、マスクを顔に装着した後の時点における第１縦方向部材３と第２縦方向部材４の配置のシフトを示したものであり、前述した如く、マスクを装着した際には、マスクが顔の形に沿って、特にマスクの下側が狭まるように変形する。そのため第１縦方向部材３と第２縦方向部材４は「ハの字型」から変形して図で示すようにほぼ並行にシフトする。第１縦方向部材３と第２縦方向部材４が並行になることによって形成空間８を、充分な広さで、しかも頑丈に維持することができる。このことによって風速は緩和され、第１低丘部６、第２低丘部７への誘導が有効に行われる。
ところで、本キットを配置する時点から第１縦方向部材３と第２縦方向部材４を「ハの字型」ではなく並行型に配置しておくと、前述の如く保持紐０の引力と顔の曲面特性によって第１縦方向部材３、第２縦方向部材４の下方部分が内側に湾曲し、それによって下方向きの呼気を上方へ反射させる流れを増大させてしまい、更には形成空間８を狭めてしまうことになり、課題の解決には逆に作用する。
更に、図は第１低丘部６、第２低丘部７からの呼気の排気流Ｃの方向を示したものである。
呼気は形成空間８から一部は上方へ向かうが、風速が緩和されているため、第１縦方向部材３と第２縦方向部材４で有効に誘導され、さらに横方向部材２で遮断されて排気路である第１低丘部６、第２低丘部７から横向きの排気流Ｃとなってマスク外へ流れ出て眼鏡の曇りを生じさせないのである。
【００２１】  図５は、この考案の第１縦方向部材３と第２縦方向部材４の「ハの字型」配置の説明図であって、本キットの正面中心線から左右への開き角度αを示している。角度αは、中心から左右へ、それぞれ１０度から３８度の範囲内である。
【００２２】  図６は、横方向部材２を、マスク着用時の上方から見た断面図であり、又第１縦方向部材３と第２縦方向部材４についても同じ方向から見た横幅方向の断面図である。第１縦方向部材３と第２縦方向部材４の配置位置は、横方向部材２の下方であって第１縦方向部材３は２ａの範囲内の下方に、第２縦方向部材４は２ｂの範囲内の下方に配置し、中央部分の直下には配置しない。
【００２３】  図７は、横方向部材２及び凹部５の各寸法を示している。凹部５を含む横方向部材２の全長は６０ｍｍ≦２ｄ≦１５０ｍｍ、幅は５ｍｍ≦２ｃ≦２０ｍｍ。凹部５の最上部の開口部の間隔は１０ｍｍ≦５ａ≦３５ｍｍとし、凹部５の底辺からの厚みは０ｍｍ≦５ｂ＜２５ｍｍである。
【００２４】  図７における凹部の厚み寸法５ｂが０ｍｍの事例は、横方向部材２、及び凹部５が平面基盤上に配置されて実施される時、又はマスクに一体化されて提供される時であって、それぞれ平面基盤、及びマスク本体が凹部の底面の機能を果たすことになるのである。
【００２５】  図７で示す如く全ての部材が同一方向へ傾斜した構造をもっており量産時の金型製作時の一体成型を可能としており製造コストの削減を実現した構造である。
【００２６】  図８は、横方向部材２を、マスク着用時における上方がら見た断面図であり横方向部材２の両端が中心側に傾斜角度βの範囲にて傾斜していることを示したものである。傾斜角度βは５度以上である。
【００２７】  又、図８、図９で示すとおり、凹部５の底辺は平面、クサビ型、又は孤型又はその複合型で形成される。
【００２８】  図１０は、横方向部材２、第１縦方向部材３及び第２縦方向部材４を、第１縦方向部材３の側面方向から見た断面図であり第２縦方向部材４は第１縦方向部材３と同型であるため背後に隠れているものであり、それらの各部分の寸法を示したものである。横方向部材２の全高は５ｍｍ≦２ｈ≦２５ｍｍであり、第１縦方向部材３の全高は５ｍｍ≦３ｂ≦３０ｍｍであり、第１低丘部６までの全長は１５ｍｍ≦３ｃ≦７０ｍｍであり、幅は５ｍｍ≦３ｅ≦３０（図６）の構造である。又、第２縦方向部材４の全高は５ｍｍ≦３ｂ≦３０ｍｍであり、第２低丘部７までの全長は１５ｍｍ≦３ｃ≦７０ｍｍであり、幅は５ｍｍ≦３ｅ≦３０ｍｍ（図６）の範囲の構造である。
【００２９】  さらに図１０で示すように、第１縦方向部材３と、横方向部材２との近接する部分には排気経路となる第１低丘部６があり、又第２縦方向部材４と、横方向部材２との近接する部分には第２低丘部７があって、その長さは５ｍｍ≦６ａ≦３５ｍｍ。厚み寸法は、０ｍｍ≦６ｂ≦２５ｍｍである。
【００３０】  第１低丘部６、及び第２低丘部７の厚み寸法６ｂが０ｍｍの事例は、横方向部材２、第１縦方向部材３、及び第２縦方向部材４が平面基盤の上に配置され実施される時、又はマスク本体に一体化されて提供される時であり、それぞれ平面基盤の設置面、及びマスク本体の設置面が第１低丘部６、及び第２低丘部７の上面の機能を果たすことになるのである。
【００３１】  さらに図１０では、マスク装着時において、第１縦方向部材３と第２縦方向部材４の下方部分が横方向部材２の方向に湾曲圧迫されることによって、排気経路である第１低丘部６、第２低丘部７の上下の間隔が過度に狭くなることを防ぐため、第１縦方向部材３、第２縦方向部材４の各上部に傾斜角θを３５度〜８０度の範囲で設けることでその課題を解決したことを示したものである。
【００３２】  図１１は本マスク用キットのマスク本体への取り付け方法を示す横方向からの断面図である。保持フック９は、横方向部材２に接着、又は保持フックの基礎部分を横方向部材２に一体化して設置されている。
【００３３】  図１２は、保持フック９のイメージ立体図である。保持フックの前方の引っ掛け部１０は丸型、方型、三角型等いろいろな型が可能である。保持フックの基礎部１１の形は自由な形である。
【００３４】  図１３は、保持フック９を横方向部材２へ取り付ける位置を示したものである。凹部５の位置を避けてその左側と右側に取り付ける。
【００３５】  図１４はマスク本体に本考案を取り付けた正面から見たイメージ図である。
【実施例】
【００３６】  本マスク用キットは、横方向部材２、第１縦方向部材３、第２縦方向部材４、及び第１低丘部と第２低丘部をマスクに接着固定しなくても良い構造であるため、衛生ギャザー型マスクを下方へ引き延ばして使用する時にも支障はなく有効にギャザーが引き下ろせる構造である。【００３７】  横方向部材２、第１縦方向部材３、第２縦方向部材４、及び第１低丘部と第２低丘部の材料は紙、布、スポンジ、樹脂、発砲スチロール等の弾性に富む材料である。【００３８】  保持フック９を使わずに、マスク用キットを接着剤でマスクに貼りつけて実施することも可能である。【００３９】  凹部５の内側の両側面には鼻の形に適合するように外向きの傾斜がある。【００４０】  縦方向部材は２本での使用例を一例として記載したが左右に更に縦方向部材の数を追加増設することは可能である。【００４１】  本発明により、曇り止めを実現できただけでなく呼吸の容易性も同時に実現できた点は成果であり眼鏡非使用者にも利点があるものである。
【符合の説明】
【００４２】０  保持紐
１  マスク本体
２  横方向部材
３  第１縦方向部材
４  第２縦方向部材
５  凹部
６  第１低丘部
７  第２低丘部
８  形成空間
９  保持フック
【図１】
0003169177.tif 000003
【図２】
0003169177.tif 000004
【図３】
0003169177.tif 000005
【図４】
0003169177.tif 000006
【図５】
0003169177.tif 000007
【図６】
0003169177.tif 000008
【図７】
0003169177.tif 000009
【図８】
0003169177.tif 000010
【図９】
0003169177.tif 000011
【図１０】
0003169177.tif 000012
【図１１】
0003169177.tif 000013
【図１２】
0003169177.tif 000014
【図１３】
0003169177.tif 000015
【図１４】
0003169177.tif 000016